(57)【要約】      （修正有）【課題】使用者の休息または睡眠時により安全でかつ安定し、クッションの使用時に頚椎の正確な配列を維持し、頚椎の捻りを回避することで、頭、頚部の傷害を減少し、使用者に快適さを提供するとともに、さらに、使用者の腰部や背部をサポートして快適さを提供することもできる、多機能サポートクッションを提供する。【解決手段】多機能クッション１００は、一対のパッド部と、前記一対のパッド部を連結する連結部１０を含み、前記一対のパッド部の一方のパッド部が第１頂面２１と第１開口２２を備え、前記頂面２１から前記第１開口２２箇所に向かって円形陥凹部２３が設けられ、前記一対のパッド部を重ね合わせて配置したり、展開して配置したりすることができる。【選択図】図２
0003194651.tif 000002
【実用新案登録請求の範囲】
【請求項１】
一対のパッド部と、前記一対のパッド部を連結する連結部を含み、前記一対のパッド部のうち一方のパッド部が第１頂面と第１開口を備え、前記第１頂面から前記第１開口まで円形陥凹部が設けられ、前記連結部により前記一対のパッド部を重ね合わせて配置するか、前記連結部により前記一対のパッド部を展開して配置することができることを特徴とする、多機能クッション。
【請求項２】
前記一対のパッド部のうち他方のパッド部が第２頂面と第２開口を備え、かつ前記第２頂面と前記第２開口の間に傾斜部が設けられたことを特徴とする、請求項１に記載の多機能クッション。
【請求項３】
前記第１開口は、内側が広く外側が狭くなった形状を呈し、前記第２開口がコ字状を呈し、且つ前記一対のパッド部を重ね合わせて配置した状態において、使用者はうつ伏せになったときに前記第１開口と第２開口によって呼吸を円滑に維持できることを特徴とする、請求項２に記載の多機能クッション。
【請求項４】
前記一対のパッド部は重ね合わせて配置され、デスク面上に置かれたとき、一定角度で傾斜し、前記傾斜角度がうつ伏せ時の最良の角度であり、使用者が快適にうつ伏せになることができることを特徴とする、請求項１に記載の多機能クッション。
【請求項５】
前記一対のパッド部は展開されたとき、使用者の背部及び腰部のサポートクッションとして機能することを特徴とする、請求項１に記載の多機能クッション。
【請求項６】
前記一対のパッド部内にそれぞれスポンジが設置され、前記スポンジの材質が、形状記憶スポンジまたは低反発スポンジ、或いは高反発スポンジであることを特徴とする、請求項１に記載の多機能クッション。
【請求項７】
使用者がうつ伏せになったときには、前記一対のパッド部のうち一方のパッド部の円形陥凹部に使用者の顔の前頭骨が当接し、使用者の顔の頬骨が前記第１開口の両側部位により支持されることを特徴とする、請求項１に記載の多機能クッション。
【考案の詳細な説明】
【技術分野】
【０００１】
本考案は多機能クッションに関し、特に、特殊設計の一対のパッド部でうつ伏せ時に顔を支えたり、背部及び腰部を支えたりするクッションとして使用できる、多機能クッションに関する。
【背景技術】
【０００２】
時代の変化と、人々の生活と寝心地に対するこだわりの高まりに伴い、より多くの人がアイデアを発揮して、人々の多様なニーズを満たす製品を設計しており、現今では家の中での寝心地にこだわるだけでなく、オフィスや個人の工房等の仕事の場所や、学校の教室等の公衆の場所でも短時間の休息と睡眠の心地にこだわるようになっており、人々のこういったニーズに応え、配慮した製品が生まれており、例えばオフィス、工房、学校の教室での人々が休息する際に快適に使用できる昼寝用枕などがある。
【０００３】
一般に市販されている昼寝用枕は単にパッド部が設置され、且つ使用者がうつ伏せになったときに頭部を支えるために適用されるのみであり、製品の多機能性を求める現今の消費者のニーズに対し、単一機能の製品の設計では消費者の購買意欲を満たすことができない。このため、オフィスや工房等の場所で使用できる多機能の枕・クッション製品を消費者にいかに提供するかが、この産業において解決をしようとする問題となっている。
【考案の概要】
【考案が解決しようとする課題】
【０００４】
このため、本考案の目的は、使用者の休息または睡眠時により安全でかつ安定し、クッションの使用時に頚椎の正確な配列を維持し、頚椎の捻りを回避することで、頭、頚部の傷害を減少し、使用者に快適さを提供するとともに、さらに、使用者の腰部や背部をサポートして快適さを提供することもできる、多機能サポートクッションを提供することにある。
【課題を解決するための手段】
【０００５】
上述の目的を達成するため、本考案の多機能クッションは、一対のパッド部と、前記一対のパッド部を連結する連結部を含み、前記一対のパッド部の一方のパッド部が第１頂面と第１開口を備え、前記第１頂面から前記第１開口までに向かって円形陥凹部が設けられ、前記連結部により前記一対のパッド部を重ね合わせて配置するか、前記連結部により前記一対のパッド部を展開して配置することができる。
【０００６】
好ましくは、前記一対のパッド部の他方のパッド部も第２頂面と第２開口を備え、且つ前記第２頂面と前記第２開口の間に傾斜部が形成されている。
好ましくは、前記第１開口は内側が広く、外側が狭くなった形状を呈し、前記第２開口がコ字状を呈し、且つ前記一対のパッド部を重ね合わせて配置した状態において、使用者はうつ伏せになったときに前記第１開口と第２開口が呼吸を円滑に維持できる。
【０００７】
好ましくは、前記一対のパッド部は重ね合わせて配置され、デスク面上に置かれたとき、一定角度で傾斜し、前記傾斜角度がうつ伏せ時の最良の角度であり、使用者が快適にうつ伏せになることができる。
【０００８】
好ましくは、前記一対のパッド部は展開されたとき、使用者の背部及び腰部のサポートクッションとすることができる。
好ましくは、前記一対のパッド部内にそれぞれスポンジが設置され、前記スポンジの材質は形状記憶スポンジまたは低反発スポンジ或いは高反発スポンジとすることができる。
【０００９】
好ましくは、使用者がうつ伏せになったときには、前記一対のパッド部の一方のパッド部の円形陥凹部に使用者の顔の前頭骨が当接し、使用者の顔の頬骨が前記第１開口の両側部位により支持される。
【図面の簡単な説明】
【００１０】
【図１】本考案の多機能クッションを展開した状態の斜視図である。
【図２】本考案の多機能クッションを重ね合わせた状態の斜視図である。
【図３】本考案の多機能クッションに顔を当てた状態の概略図である。
【図４】本考案の多機能クッションを椅子上のクッションとした応用を示す概略図である。
【考案を実施するための形態】
【００１１】
本考案について、本考案の好ましい実施例を図面を参照して充分に説明するが、この説明の前に、当業者であれば本文中で説明する考案を変更して本考案の効果を得ることも可能であることを理解されたい。このため、以上の説明は当業者にとっては広範な開示であり、その内容は本考案を制限しないことを理解する必要がある。
【００１２】
図１に本考案の多機能クッションを展開した状態の斜視図を示す。本考案の多機能クッション１００は、一対のパッド部及び連結部１０を含み、本実施例において、前記一対のパッド部は第１パッド部２０と第２パッド部３０を含み、そのうち、前記第１パッド部２０は第１頂面２１と第１開口２２を備え、前記第１頂面２１から前記第１開口２２に向かって円形陥凹部２３が設けられ、前記第２パッド部３０も第２頂面３１と第２開口３２を備え、かつ前記第２頂面３１と前記第２開口３２の間に傾斜部３３が設けられている。また、前記連結部１０は前記第１パッド部２０と前記第２パッド部３０を連結するために用いられ、前記連結部１０により、前記第１パッド部２０と前記第２パッド部３０を展開して配置したり、重ね合わせて配置したりすることができる（図２を参照）。
【００１３】
本実施例において、前記第１開口２２は内側が広く外側が狭くなった形状を呈し、前記第２開口３２がコ字状を呈し、前記第１パッド部２０と前記第２パッド部３０内にそれぞれスポンジが設置され（図示しない）、前記スポンジの材質は形状記憶スポンジ、または低反発スポンジとして、使用者の顔輪郭にフィットして快適性を高めることができ、或いは高反発スポンジとして、使用時のサポート強度と使用寿命を高めることもできる。
【００１４】
図１と併せて、図２に示す本考案の多機能クッションを重ね合わせて配置した状態の斜視図を参照する。本実施例において、前記第１パッド部２０と前記第２パッド部３０を重ね合わせて配置したとき、その全体高さを増加でき、この高さによって使用者の顔を前記第１パッド部２０に当てたときに最も快適な位置にすることができる。
【００１５】
図３に本考案の多機能クッションを顔に応用したときの概略図を示す。本考案の多機能クッション１００を重ね合わせて配置したとき、デスク面５０上に置いて、使用者がデスク面５０上にうつ伏せになって昼寝や小休憩をするときに用いることができる。このとき、本考案の多機能クッションを前記デスク面５０上に置くと、一定角度で傾斜し、前記傾斜角度はうつ伏せ時の最良の角度であり、使用者が快適にうつ伏せになることができる。かつ、使用時は、まず前記第１パッド部２０を上にして、第２パッド部３０をデスク面５０上に置いた後、使用者が顔を下に向けて、前記第１パッド部２０上に当てる。このとき、口と鼻がちょうど前記第１開口２２に配置され、前記第１開口２２と第２開口３２の空洞設計により、使用者が呼吸できる状態となる。また、顔の頬骨が前記第１開口２２両側の部位により支持され、顔の前頭骨が前記円形陥凹部２３に当接し、使用者がうつ伏せのとき、最良の快適性とうつ伏せ角度を得ることができる。
【００１６】
図４に本考案の多機能クッションを椅子に置いた状態の概略図を示す。本考案の多機能クッション１００は展開時に直立させて椅子４０上に置くことができ、かつ置く位置は前記第１パッド部２０が上方に、前記第２パッド部３０が下方になり、かつ前記第２パッド部３０の傾斜部３３がちょうど人体の臀部の位置になって臀部に密着し、椅子４０に座ったとき、背部と腰部が本考案の多機能クッション１００上に快適に寄りかかることができる。
【００１７】
本考案の多機能クッションは、前記一対のパッド部の展開と重ね合わせの配置によって、使用者がうつ伏せ時に顔を支持するために用いたり、背部及び腰部を支持するために用いたりすることができて、うつ伏せと座ったときの快適さを提供する。
【００１８】
本考案の好ましい実施例の詳細な説明を経て、当業者であれば、下述する実用新案登録請求の範囲と要旨を逸脱することなく各種の変化と変更を行うことが可能であることが分かり、また本考案は明細書中に挙げた実施例の実施方式に限定されない。
【符号の説明】
【００１９】
１００    多機能クッション
１０      連結部
２０      第１パッド部
２１      第１頂面
２２      第１開口
２３      円形陥凹部
３０      第２パッド部
３１      第２頂面
３２      第２開口
３３      傾斜部
４０      椅子
５０      デスク面
【図１】
0003194651.tif 000003
【図２】
0003194651.tif 000004
【図３】
0003194651.tif 000005
【図４】
0003194651.tif 000006